(57)【特許請求の範囲】
【請求項１】
盤用パネルに取り付けられるマウント架台に、マウント架台の開口を介して電極板と接続される端子部を備えた電源切替開閉器を前方に抜き出し可能に搭載した電源切替開閉装置であって、マウント架台の下部には電源切替開閉器とともにスライド可能な受け棚を起伏自在に設け、この受け棚を前方に引き出した後に起立させることにより、電源切替開閉器を取り外した後のマウント架台の開口を遮蔽可能とし、かつこの受け棚には、電源切替開閉器の左右脚板間に揺動自在に支持された揺動板の前端を係止し、電源切替開閉器が受け棚から落下することを防止するストッパ板を設けたことを特徴とする電源切替開閉装置。
【発明の詳細な説明】
【技術分野】
【０００１】
本発明は商用電源と非常用電源のような２種類の電源の切り替えを行なう双投形の電源切替開閉器に関するものであり、特に電源切替開閉器をマウント架台から引出し可能とした電源切替開閉装置に関するものである。
【背景技術】
【０００２】
常用電源と予備用電源の２種類の電源の切り替えを行なう切替開閉器は、特許文献１，２に示されるように、古くから知られている。
【０００３】
このような切替開閉器は、常用電源の電源切替開閉器と予備用電源の電源切替開閉器が一体化され、マウント用架台の内部に収納したものである。これらの電源切替開閉器は、点検その他のメンテナンス作業のためにマウント用架台から引き出すことができる構造としている。
【０００４】
この構造の切替開閉器は、切替開閉器を引き出すと接続用の電源端子が露呈されるため誤って電極端子を工具等に接触させて感電事故を起こす恐れがある。
【先行技術文献】
【特許文献】
【０００５】
【特許文献１】特開平０２−０４４６１９号公報
【特許文献２】特開平０７−２９６６８２号公報
【発明の概要】
【発明が解決しようとする課題】
【０００６】
本発明は電源切替開閉器を抜き出し後、露呈される電源切替開閉器接続用の電極端子に接触する感電事故を防止することを目的として提供されるものである。
【課題を解決するための手段】
【０００７】
本発明は、盤用パネルに取り付けられるマウント架台に、マウント架台の開口を介して電極板と接続される端子部を備えた電源切替開閉器を前方に抜き出し可能に搭載した電源切替開閉装置であって、マウント架台の下部には電源切替開閉器とともにスライド可能な受け棚を起伏自在に設け、この受け棚を前方に引き出した後に起立させることにより、電源切替開閉器を取り外した後のマウント架台の開口を遮蔽可能とし、かつこの受け棚には、電源切替開閉器の左右脚板間に揺動自在に支持された揺動板の前端を係止し、電源切替開閉器が受け棚から落下することを防止するストッパ板を設けたことを特徴とする電源切替開閉装置である。
【発明の効果】
【０００８】
本発明は、盤用パネルに取り付けられるマウント架台に、マウント架台の開口を介して電極板と接続される端子部を備えた電源切替開閉器を前方に抜き出し可能に搭載した電源切替開閉装置であって、マウント架台の下部には電源切替開閉器とともにスライド可能な受け棚を起伏自在に設け、この受け棚を前方に引き出した後に起立させることにより、電源切替開閉器を抜き出した後マウント架台の開口を遮蔽可能としたことにより、外部に露呈される電極端子を隠蔽できるので工具等が不用意に電極端子に触れて感電事故を起こすことを的確に防止する。また、電源切替開閉器の引き出しに応じて受け棚をスライド自在としたことにより、電源切替開閉器は引出し過程でも受け棚に受けられているので電源切替開閉器を落下させるなどの事故を防止できる。
【図面の簡単な説明】
【０００９】
【図１】本発明の好ましい実施の形態を示す斜視図である。
【図２】同じく側面図である。
【図３】同じく平面図である。
【図４】ストッパ機構を示す拡大側面図である。
【図５】ストッパ機構のフリー状態を示す拡大側面図である。
【図６】電源切替開閉器を受け棚とともに引出した状態を示す側面図である。
【図７】起立機構を示す拡大側面図である。
【図８】受け棚引出時を示す起立機構の拡大側面図である。
【図９】電源切替開閉器を外した状態を示す斜視図である。
【図１０】電源切替開閉器を外した状態を示す側面図である。
【図１１】受け棚起立時を示す起立機構の拡大側面図である。
【図１２】起立させた受け棚により前板の開口を遮蔽した状態を示す斜視図である。
【発明を実施するための形態】
【００１０】
次に、本発明の好ましい実施の形態を図に基づいて詳細に説明する。
１はマウント架台２を取り付ける盤用パネルであり、該マウント架台２は図１，２，３，６，９，１０，１２に示されるように盤用パネル１の開口を通じてマウント架台２を挿し込んでボルト止めする直付け方法により行なっている。また、マウント架台２には図２，３，６，１０に示されるように抜き出し可能な電源切替開閉器３と固定のバイパススイッチ４とを設けたものとしているが、バイパススイッチ４を取付けない電源切替開閉装置としてもよいことはいうまでもない。
【００１１】
前記マウント架台２には図９に示されるように、引出し自在な電源切替開閉器３を嵌合させる開口２ａを形成した前板２ｂと、後板２ｃと、電源切替開閉器３を受ける起伏自在な受け棚７と、操作ハンドル８とが取り付けられている。前記後板２ｃの背面には必要に応じて電源切替用のバイパススイッチ４が取り付けられ、該バイパススイッチ４は前記操作ハンドル８により切り替えられる。また、受け棚７の先方部中央にはねじ孔７ｂが透設されており、受け棚７を起立させた際、受け棚７を前板２ｂにねじ止めできるようになっている。７ｃは受け棚７の一側方部に立設される側板であり、該側板７ｃは前板２ｂに形成された切欠溝２ｄに嵌合して受け棚７の枢動ガイドとがたつき防止を行なう。２ｅは前板２ｂに形成されるスリットで、該スリット２ｅは起立された受け棚７のストッパ板７ａを嵌合させて受け棚７が前板２ｂに密着して開口２ａを遮蔽できるようにしている。
【００１２】
前記電源切替開閉器３は略門形をしたフレーム９に取り付けられ、該フレーム９の左右の脚板には上下水平杆９ａ、９ａが張架されている。この上下水平杆９ａ，９ａをもって電源切替開閉器３の抜き出しや持ち運びを行う。
【００１３】
５は受け棚７上の電源切替開閉器３を抜き出す際不用意に落下させることを防止するストッパ機構であり、該ストッパ機構５は図４，５に示されるように、電源切替開閉器３のフレーム９の左右脚板の略中央下部に形成される略扇状の横長孔９ｂ，９ｂと、該横長孔９ｂ，９ｂに後端左右の係止片５ｂを揺動自在に係合させた揺動板５ａと、受け棚７の上部両側に立設されたストッパ板７ａとからなる。該ストッパ板７ａには揺動板５ａと係止する突片７ｄが形成されている。また、ストッパ板７ａ、７ａは電源切替開閉器３のフレーム９の左右の脚板間に略等しい間隔で配置されるので、受け棚７に電源切替開閉器３が載置されるとストッパ板７ａにより電源切替開閉器３は側方への移動が阻止され、バイパススイッチ４との接続位置を設定するとともに落下防止の役割をもつ。
【００１４】
また、ストッパ板７ａの後端にも突片７ｄと同様の突片を形成することにより、ストッパ板７ａは対称形となるので、前後の取付け間違いによる組付けミスが生じない。さらに、ストッパ板７ａの前後の突片間に形成される低段部には前下がりの揺動板５ａの前縁が受けられるので、接触面が小さくなり摩擦抵抗を低減できるうえに、受け棚７と揺動板５ａとの間には隙間を形成できる。この隙間により揺動板５ａと突片７ｄが噛み込んだとき、ドライバーなどを挿し込んで噛み込みを解除することができる。
【００１５】
前記横長孔９ｂ，９ｂは下辺を前下がりテーパ面とした略扇状に形成されており、揺動板５ａが突片７ｄと当接しないときは図４に示されるように自重で前下がりとなり、揺動板５ａの前端縁はストッパ板７ａの低段部に受けられることとなるが、図５に示されるように、揺動板５ａが突片７ｄに当接して乗り上げると横長孔９ｂに係合される係止片５ｂを軸として揺動片５ａは略水平に枢動してロックを解除する。電源切替開閉器３が押し込まれて揺動板５ａが突片７ｄを乗り越えると係止片５ｂを軸とする揺動板５ａは自重で前下がりとなり、その前端縁は突片７ｄの後方に配置されるので、電源切替開閉器３は受け棚７から前方に引出すことができなくなる。このようにして電源切替開閉器３は前方及び側方への移動が阻止され、受け棚７からの落下が防止される。
【００１６】
また、６は受け棚７のスライド式の起立機構であり、電源切替開閉器３を抜き出した後、受け棚７を起立させて前板２ｂの開口２ａを遮蔽するもので、図１２に示されるように、開口２ａを遮蔽することにより、外方に露呈される主回路の電極板に工具等が不用意に触れることを防止できる。前記起立機構６は受け棚７の両側に設けられたカムローラ６ａと、該カムローラ６ａをガイドするカム溝６ｂを形成したガイド板６ｃとからなる。カム溝６ｂは前下がりの傾斜部と、該傾斜部に続く水平部とからなり、カムローラ６ａを傾斜部に移行させることにより、受け棚７は図７，８，１１に示されるように引出されたうえ起立動作が行われる。
【００１７】
以上のように、本発明は、図１に示されるように、着脱自在な電源切替開閉器３を装着したマウント架台２を盤用パネル１に取り付けて使用するもので、保守点検時には作業員は操作ハンドル８を手動で操作してバイパススイッチ４をオンとする。これにより負荷には常用電源が供給されることとなる。その後ストッパ機構５によりロックされた電源切替開閉器３を受け棚７毎前方に引き出す。
【００１８】
この引き出し操作により、マウント架台２の電極板と電源切替開閉器３の端子部との接続は切り離されるが、電源切替開閉器３は受け棚７上に配置されるので、電源切替開閉器３が不用意に落下することが防止される。
【００１９】
そして、電源切替開閉器３を抜き出した後、受け棚７を引き上げれば、受け棚７のカムローラ６ａはカム溝６ｂの前下が傾斜に倣って起立する。起立後、止めねじをねじ孔７ｂを介して前板２ｂに螺着することにより受け棚７はねじ止めされて起立状態が維持される。このようにして開口２ａは閉塞されるから感電事故の発生は的確に防止される。そして、マウント架台２から外された電源切替開閉器３は別の場所で点検する。点検完了後、止めネジを外して受け棚７を水平に伏倒させて受け棚７に電源切替開閉器３を乗せる。
【００２０】
このときストッパ機構５の揺動板５ａの下面はストッパ板７ａの突片７ｄと当接するので、揺動板５ａは横長孔９ｂ内に係合される係止片５ｂを軸として上向き枢動し、電源切替開閉器３のフレーム９はストッパ板７ａ，７ａを挟み込んだ状態で受け棚７上に載置される。このように位置決めされた状態で電源切替開閉器３をバイパススイッチ４の接続方向（後方）に押し込めば、揺動板５ａは突片７ｄを乗り越えて、自重で先端縁をストッパ板７ａの低段部に当接させる。こうすることにより電源切替開閉器３はストッパ板７ａと突片７ｄにより前方（引出し方向）及び側方への移動は阻止されることとなる。電源切替開閉器３をさらに押し込みマウント架台２の主回路と接続させる。続いて、前方に張出されている受け棚７を押し込み、揺動板５ａに突片７ｄを当接させて受け棚７はロックされる。その後、バイパススイッチ４をオン状態からオフに切り替えれば、負荷は電源切替開閉器３を介して元の電源に接続され、旧状に復帰する。
【符号の説明】
【００２１】
１  盤用パネル
２  マウント架台
2a  開口
2b  前板
2c  後板
2d  切欠溝
2e  スリット
３  電源切替開閉器
４  バイパススイッチ
５  ストッパ機構
5a  揺動板
5b  係止片
６  起立機構
6a  カムローラ
6b  カム溝
6c  ガイド板
７  受け棚
7a  ストッパ板
7b  ねじ孔
7c  側板
7d  突片
８  操作ハンドル
９  フレーム
9a  上下水平杆
9b  横長孔
【図１】
0005793758.tif 000002
【図２】
0005793758.tif 000003
【図３】
0005793758.tif 000004
【図４】
0005793758.tif 000005
【図５】
0005793758.tif 000006
【図６】
0005793758.tif 000007
【図７】
0005793758.tif 000008
【図８】
0005793758.tif 000009
【図９】
0005793758.tif 000010
【図１０】
0005793758.tif 000011
【図１１】
0005793758.tif 000012
【図１２】
0005793758.tif 000013